(57)【要約】【課題】発熱性電子部品の放熱効果を向上させることができる電子部品を搭載したプリント基板を提供すること。【解決手段】モータドライバーＩＣは、発熱量の大きいモータドライバーＩＣ群Ａと、発熱量の小さいモータドライバーＩＣ群Ｂとに分けられ、プリント基板上において上下に離して配置されている。このように、モータドライバーＩＣ群ＡをモータドライバーＩＣ群Ｂの上側に配置することにより、モータドライバーＩＣ群Ａで発生した熱は、基板上に籠もることなくプリント基板の外に放出される。各モータドライバーＩＣの放熱板が電子複写装置の底板面に対して垂直になる向きに並列に配置されている。これにより、熱が放熱板を介してプリント基板の上方向に速やかに放熱させることができ、複数のモータドライバーＩＣが搭載されているプリント基板における放熱効果を向上させることができる。【選択図】　図１
2004134664.tif 000002
【特許請求の範囲】
【請求項１】
所定の電子機器に組み込まれる、素子で生じる損失のために発熱する電子部品を搭載したプリント基板において、
前記プリント基板を前記電子機器の底面に対して垂直方向に組み込む場合、
発熱量に基づいて発熱量の大きい第１のグループと、発熱量の小さい第２のグループとに分離された複数の前記発熱性電子部品は、前記第１のグループに属する前記発熱性電子部品を前記第２のグループに属する前記発熱性電子部品の垂直方向の上側に配置されていることを特徴とする電子部品を搭載したプリント基板。
【請求項２】
前記第１のグループに属する前記発熱性電子部品は、前記プリント基板の垂直方向の中心位置より上側端部に、一方、前記第２のグループに属する前記発熱性電子部品は、前記プリント基板の垂直方向の中心位置より下側端部に偏って配置され、
さらに、前記発熱性電子部品は、それぞれ前記プリント基板の垂直方向に対して平行になるように配置されていることを特徴とする請求項１記載の電子部品を搭載したプリント基板。
【請求項３】
前記第１のグループに属する前記発熱性電子部品と前記第２のグループに属する前記発熱性電子部品との間に配置される前記発熱性電子部品は、前記プリント基板の水平方向の中心位置より右側端部あるいは左側端部に偏って配置されていることを特徴とする請求項１、または、請求項２記載の電子部品を搭載したプリント基板。
【発明の詳細な説明】
【０００１】
【発明の属する技術分野】
本発明は、モータ制御用のドライバーＩＣ（集積回路）に代表される比較的熱損失の多い電子部品（以下、発熱性電子部品とする）を複数搭載した、プリンタ装置や電子複写装置など様々な電子機器に組み込まれる電子部品を搭載したプリント基板に関する。
【０００２】
【従来の技術】
近年、プリンタ装置や電子複写装置など様々な電子機器において、ダウンサイジング（小型化）をはかる傾向にある。そして、電子機器を小型化することにより、利用者の利便性の向上、使用される原材料の削減、消費電力の低減などが実現されるようになってきている。
ところで、電子機器の小型化に伴い、これらの機器に組み込まれる各種制御用のプリント基板の小型化も必然的に要求されるようになってきている。
また、ＣＰＵ（中央演算処理装置）の能力の向上により、多数のモータなどの駆動部品を同時に制御する技術の普及も伴って、最近の制御用のプリント基板には、１枚の基板上に多数のモータ制御用のドライバーＩＣが搭載されるような場合がある。
【０００３】
このように、損失率が高いために発熱し易いモータ制御用のドライバーＩＣなどの発熱性電子部品を１枚のプリント基板上に多数配置する際には、これらの発熱性電子部品の放熱効果を考慮する必要がある。
従来、このような発熱性電子部品の放熱効果を考慮した放熱設計の技術が、下記の特許文献をはじめ種々開示されている。
【特許文献１】
実開平６−６６０８８号公報
【特許文献２】
特開２０００−２０８９６６公報
【０００４】
特許文献１には、発熱面と発熱背面とが交互になるように並べられた発熱部品の両側に一対の放熱板を配置することにより、隣接する発熱部品の熱干渉を抑制させて効率よく発熱部品の放熱を行うことを可能にする放熱板の取付構造が開示されている。
また、特許文献２には、電子部品用の放熱板に当該放熱板をプリント基板に固定するための半田付け用ピンを放熱板にかしめ固定させることにより、プリント基板の取付面積を削減させることができる放熱板が開示されている。
【０００５】
【発明が解決しようとする課題】
しかしながら、放熱設計の技術においては、熱対流を考慮したプリント基板上の発熱性電子部品の配置方法などさらなる改良の余地がある。
そこで、本発明は、発熱性電子部品の放熱効果を向上させることができる発熱性電子部品を搭載したプリント基板を提供することを目的とする。
【０００６】
【課題を解決するための手段】
請求項１記載の発明では、所定の電子機器に組み込まれる、素子で生じる損失のために発熱する電子部品を搭載したプリント基板において、前記プリント基板を前記電子機器の底面に対して垂直方向に組み込む場合、発熱量に基づいて発熱量の大きい第１のグループと、発熱量の小さい第２のグループとに分離された複数の前記発熱性電子部品は、前記第１のグループに属する前記発熱性電子部品を前記第２のグループに属する前記発熱性電子部品の垂直方向の上側に配置することより前記目的を達成する。
請求項２記載の発明では、請求項１記載の発明において、前記第１のグループに属する前記発熱性電子部品は、前記プリント基板の垂直方向の中心位置より上側端部に、一方、前記第２のグループに属する前記発熱性電子部品は、前記プリント基板の垂直方向の中心位置より下側端部に偏って配置され、さらに、前記発熱性電子部品は、それぞれ前記プリント基板の垂直方向に対して平行になるように配置することにより前記目的を達成する。
請求項３記載の発明では、請求項１、または、請求項２記載の発明において、前記第１のグループに属する前記発熱性電子部品と前記第２のグループに属する前記発熱性電子部品との間に配置される前記発熱性電子部品は、前記プリント基板の水平方向の中心位置より右側端部あるいは左側端部に偏って配置することにより前記目的を達成する。
【０００７】
【発明の実施の形態】
以下、本発明の発熱性電子部品を搭載したプリント基板における好適な実施の形態について、図１から図８を参照して詳細に説明する。
（第１の実施例）
図１は、本実施の形態に係る電子部品を搭載したプリント基板の概略構成を示した図である。
また、図２は、図１に示したプリント基板における、モータドライバーＩＣおよびその他の電子部品の配置位置を示した図である。
この図１に示されているプリント基板は、スティプル機能やシフトスタック機能などの機能を備えた電子複写装置のメイン制御回路が形成されているプリント基板があり、電子複写装置の底板に対して垂直になるように組み込まれている。そのため、図１および図２の下方向が電子複写装置の底板方向を示すようになっている。
【０００８】
さらに、図３は、本実施の形態に係る電子部品を搭載したプリント基板を搭載する電子複写装置の概略構成を示した図である。
また、図４は、図３に示した電子複写装置のブロック図を示した図である。
図１に示すように、電子複写装置のメイン制御回路が形成されているプリント基板には、電子複写装置に搭載されている各種モータのドライバーＩＣが搭載されている。
具体的には、入口モータドライバーＩＣ１１１、搬送モータドライバーＩＣ１１２、束搬送モータドライバーＩＣ１１３、スティプル搬送モータドライバーＩＣ１１４、折りローラモータドライバーＩＣ１１５、折りプレートモータドライバーＩＣ１１６、トレイ昇降モータドライバーＩＣ１１７、シフト排紙モータドライバーＩＣ１１８、上排紙モータドライバーＩＣ１１９、ジョガーモータドライバーＩＣ１２０、プレスタックモータドライバーＩＣ１２１、シフトモータドライバーＩＣ１２２、束分岐駆動モータドライバーＩＣ１２３、斜め綴じモータドライバーＩＣ１２４、スティプルモータドライバーＩＣ１２５、スティプル移動モータドライバーＩＣ１２６、束ガイド板開閉モータドライバーＩＣ１２７、排紙口開閉モータドライバーＩＣ１２８が搭載されている。
なお、モータドライバーＩＣは、図５に示すように、ドライバーＩＣの側面に放熱板が構成されているか、または、ドライバーＩＣの側面に放熱板が取り付けられている。
【０００９】
これらのモータドライバーＩＣは、図１に示すように比較的発熱量の大きいモータドライバーＩＣ群Ａと、比較的発熱量の小さいモータドライバーＩＣ群Ｂとに分けられ、モータドライバーＩＣ群ＡとモータドライバーＩＣ群Ｂとは、プリント基板上において上下に離して配置されている。
比較的発熱量の大きいモータドライバーＩＣ群Ａには、モータ回転時間の長い入口ローラ１（図３に示す）を駆動する入口モータ、搬送ローラ２、３、５、７、８、９、１０を駆動する搬送モータ、上排紙ローラ４やシフト排紙ローラ６を駆動する排紙モータなどのドライバーＩＣである入口モータドライバーＩＣ１１１、搬送モータドライバーＩＣ１１２、束搬送モータドライバーＩＣ１１３、スティプル搬送モータドライバーＩＣ１１４、折りローラモータドライバーＩＣ１１５、折りプレートモータドライバーＩＣ１１６、シフト排紙モータドライバーＩＣ１１８、上排紙モータドライバーＩＣ１１９、さらに、モータ負荷の大きい（電流値の大きい）トレイ昇降モータのドライバーＩＣであるトレイ昇降モータドライバーＩＣ１１７が属している。
【００１０】
一方、比較的発熱量の小さいモータドライバーＩＣ群Ｂには、モータ回転時間の短いスティプル排紙ローラ１１を駆動するスティプルモータ、束搬送ローラ７１、７２を駆動する束搬送モータなどのドライバーＩＣである束分岐駆動モータドライバーＩＣ１２３、斜め綴じモータドライバーＩＣ１２４、スティプルモータドライバーＩＣ１２５、スティプル移動モータドライバーＩＣ１２６、束ガイド板開閉モータドライバーＩＣ１２７、排紙口開閉モータドライバーＩＣ１２８、さらに、モータ負荷の小さい（電流値の小さい）ジョガーモータ、シフトモータなどのドライバーＩＣであるジョガーモータドライバーＩＣ１２０、プレスタックモータドライバーＩＣ１２１、シフトモータドライバーＩＣ１２２が属している。
【００１１】
このように、比較的発熱量の大きいモータドライバーＩＣ群Ａを比較的発熱量の小さいモータドライバーＩＣ群Ｂの上側に配置することにより、モータドライバーＩＣ群Ａで発生した熱は、基板上に籠もることなくプリント基板の外に放出される。そのため、プリント基板上に配置されている他の電子部品への熱の影響を低減させることができる。
さらに、各モータドライバーＩＣの放熱板が電子複写装置の底板面に対して垂直になる向き、つまり、プリント基板の上下方向と平行になる向きに並列に配置されている。
このように、モータドライバーＩＣを配置することにより、多くのモータドライバーＩＣの配置が可能となる。
また、モータドライバーＩＣにおいて発生した熱が、放熱板を介してプリント基板の上方向（図１の矢印の方向）に速やかに放熱させることができ、複数のモータドライバーＩＣが搭載されているプリント基板における放熱効果を向上させることができる。
【００１２】
また、モータドライバーＩＣ群ＡとモータドライバーＩＣ群Ｂとを上下方向に離して配置する際に、図１に示すように、プリント基板の端部付近に配置することにより、プリント基板上のコネクタと各種モータとを接続するハーネスを配線し易くすることができる。
図６は、プリント基板上に形成される回路パターンの一例を示した図である。図６に示すように、ハーネスを接続するためのコネクタと各モータドライバーＩＣとを接近するように配置することにより、コネクタと各モータドライバーＩＣとを接続する回路パターンに占有されるプリント基板の面積を縮小させることができる。
【００１３】
（第２の実施例）
次に、さらに、発熱性電子部品をプリント基板に追加搭載した場合について説明する。
図７は、本実施の形態に係る発熱性電子部品を搭載したプリント基板の概略構成を示した図である。
また、図８は、図７に示したプリント基板における、モータドライバーＩＣおよびその他の電子部品の配置位置を示した図である。
図７に示すように、プリント基板には、さらに、パンチモータドライバーＩＣ１３１、中綴じ前モータドライバーＩＣ１３２、中綴じ後モータドライバーＩＣ１３３が搭載されている。
これらの追加されたドライバーＩＣは、モータドライバーＩＣ群Ｂで発生した熱の放熱経路を妨げないように、モータドライバーＩＣ群ＡとモータドライバーＩＣ群Ｂの間に、各モータドライバーＩＣの放熱板が電子複写装置の底板面に対して垂直になる向き、つまり、プリント基板の上下方向と平行になる向きで、プリント基板の端部に近い位置に配置されている。
このようにモータドライバーＩＣを配置することにより、モータドライバーＩＣ群Ｂの放熱効果を向上させることができる。
【００１４】
なお、モータドライバーＩＣ群ＡとモータドライバーＩＣ群Ｂの間に配置することが可能なモータドライバーＩＣは、比較的発熱量の小さいモータドライバーＩＣに限られる。このようなモータドライバーＩＣには、例えば、モータ回転時間の短いスティプル排紙ローラ１１を駆動するスティプルモータ、束搬送ローラ７１、７２を駆動する束搬送モータなどのドライバーＩＣなどがある。
また、ハーネスを接続するためのコネクタをプリント基板の端部周辺に配置するような場合には、ハーネスの配線経路を考慮して、コネクタとモータドライバーＩＣとが接近する位置に、かつ、プリント基板の上下方向と平行になる向きに配置することにより、回路パターンに占有されるプリント基板の面積を縮小させることができる。さらに、プリント基板の縮小化が可能となりコストダウンをはかることができる。
【００１５】
【発明の効果】
請求項１記載の発明によれば、第１のグループに属する発熱量の大きい発熱性電子部品を、第２のグループに属する発熱量の小さい発熱性電子部品の垂直方向の上側に配置することにより、発熱性電子部品の放熱効果を向上させることができる。
請求項２記載の発明によれば、第１のグループに属する発熱量の大きい発熱性電子部品と第２のグループに属する発熱量の小さい発熱性電子部品とをそれぞれプリント基板の端部に配置することにより、発熱性電子部品の放熱効果を向上させることができる。
請求項３記載の発明によれば、第１のグループに属する発熱量の大きい発熱性電子部品と第２のグループに属する発熱量の小さい発熱性電子部品との間に配置される発熱性電子部品を、プリント基板の右側端部あるいは左側端部に配置することにより、発熱性電子部品の放熱効果を向上させることができる。
【図面の簡単な説明】
【図１】本実施の形態に係る電子部品を搭載したプリント基板の概略構成を示した図である（第１の実施例）。
【図２】本実施の形態に係るプリント基板における、モータドライバーＩＣおよびその他の電子部品の配置位置を示した図である（第１の実施例）。
【図３】プリント基板を搭載する電子複写装置の概略構成を示した図である。
【図４】電子複写装置のブロック図を示した図である。
【図５】モータドライバーＩＣの構成を示した図である。
【図６】プリント基板上に形成される回路パターンの一例を示した図である。
【図７】本実施の形態に係る電子部品を搭載したプリント基板の概略構成を示した図である（第２の実施例）。
【図８】本実施の形態に係るプリント基板における、モータドライバーＩＣおよびその他の電子部品の配置位置を示した図である（第２の実施例）。
【符号の説明】
１１１　入口モータドライバーＩＣ
１１２　搬送モータドライバーＩＣ
１１３　束搬送モータドライバーＩＣ
１１４　スティプル搬送モータドライバーＩＣ
１１５　折りローラモータドライバーＩＣ
１１６　折りプレートモータドライバーＩＣ
１１７　トレイ昇降モータドライバーＩＣ
１１８　シフト排紙モータドライバーＩＣ
１１９　上排紙モータドライバーＩＣ
１２０　ジョガーモータドライバーＩＣ
１２１　プレスタックモータドライバーＩＣ
１２２　シフトモータドライバーＩＣ
１２３　束分岐駆動モータドライバーＩＣ
１２４　斜め綴じモータドライバーＩＣ
１２５　スティプルモータドライバーＩＣ
１２６　スティプル移動モータドライバーＩＣ
１２７　束ガイド板開閉モータドライバーＩＣ
１２８　排紙口開閉モータドライバーＩＣ
【図１】
2004134664.tif 000003
【図２】
2004134664.tif 000004
【図３】
2004134664.tif 000005
【図４】
2004134664.tif 000006
【図５】
2004134664.tif 000007
【図６】
2004134664.tif 000008
【図７】
2004134664.tif 000009
【図８】
2004134664.tif 000010